(57)【特許請求の範囲】
【請求項１】
乾燥室内の換気風量を時間に基づき切換える換気乾燥機の制御方法であって、
換気風量の切換え前後における乾燥室内の乾・湿球温度差を求めて比較し、その乾・湿球温度差がより大きい方に対応する換気風量を選択することを特徴とする換気乾燥機の制御方法。
【請求項２】
乾燥室内の換気風量を乾燥室内の設定相対湿度に基づき切換える換気乾燥機の制御方法であって、
換気風量の切換え前後における乾燥室内の乾・湿球温度差を求めて比較し、その乾・湿球温度差がより大きい方に対応する換気風量を選択することを特徴とする換気乾燥機の制御方法。
【請求項３】
乾燥室内の換気風量を乾燥室内の設定絶対湿度に基づき切換える換気乾燥機の制御方法であって、
換気風量の切換え前後における乾燥室内の乾・湿球温度差を求めて比較し、その乾・湿球温度差がより大きい方に対応する換気風量を選択することを特徴とする換気乾燥機の制御方法。
【請求項４】
乾燥室内の換気風量を乾燥室内外の設定絶対湿度差に基づき切換える換気乾燥機の制御方法であって、
換気風量の切換え前後における乾燥室内の乾・湿球温度差を求めて比較し、その乾・湿球温度差がより大きい方に対応する換気風量を選択することを特徴とする換気乾燥機の制御方法。
【請求項５】
乾燥室内の空気を換気する換気用送風機と、乾燥室内の空気を循環させて加熱するヒータを有する循環用送風機と、乾燥室内の循環用空気の温度及び湿度を検知する温湿度検知装置とを備え、予め定めた設定に基づき乾燥室内の換気風量を切換える換気乾燥機において、
前記温湿度検知装置の測定値を基に換気風量の切換え前後における乾燥室内の循環用空気の乾・湿球温度差をそれぞれ求めて比較し、その乾・湿球温度差がより大きい方に対応する換気風量を選択する制御手段を、備えたことを特徴とする換気乾燥機。
【請求項６】
乾燥室内の空気を換気する換気用送風機と、乾燥室内の空気を循環させて加熱するヒータを有する循環用送風機と、乾燥室内外の循環用空気の絶対湿度を検知する絶対湿度検知装置とを備え、予め定めた設定に基づき乾燥室内の換気風量を切換える換気乾燥機において、
乾燥室内外の絶対湿度を基に乾燥室内外の絶対湿度差を求めてその絶対湿度差と予め設定した設定絶対湿度差との比較に応じて換気風量を切換える制御手段と、
乾燥室内の循環用空気の温度と湿度を検知する温湿度検知装置と、
前記温湿度検知装置の測定値を基に換気風量の切換え前後における乾燥室内の循環用空気の乾・湿球温度差をそれぞれ求めて比較し、その乾・湿球温度差がより大きい方に対応する換気風量を選択する制御手段とを、備えたことを特徴とする換気乾燥機。
【発明の詳細な説明】
【０００１】
【発明の属する技術分野】
この発明は、浴室等の特定空間で衣類を乾燥させる換気乾燥機に関する。
【０００２】
【従来の技術】
従来の浴室換気乾燥機５は、例えば図１０に示す様なもので、乾燥室である浴室１の天井に浴室内の空気を浴室外に排気する換気用送風機２と、浴室内の空気を循環して暖めるヒータ３を有する循環用送風機４とを備えている。そして、ヒータ３に通電して発熱させることにより、循環用送風機４で浴室１内を温風で循環させる事により衣類６の水分を蒸発させ、これと同時に換気用送風機２によって浴室１内の水分を含んだ空気の一部を浴室１外に排気して換気することで衣類６を乾燥させていた。なお、換気用送風機２によって吸いこまれる空気は、脱衣室７との間にある浴室ドア８の空気取入口９より吸引される。
【０００３】
上記のような浴室換気乾燥機による衣類の乾燥方法は、例えば特開平９−２８５６９５公報等に開示されている。これらによれば、循環用送風機４の温風量とヒータ３への通電量を一定として、乾燥前半には換気風量を多くし、乾燥後半には換気風量を少なくして、浴室内の衣類を短時間に効率よく乾燥させようとするものである。
【０００４】
【発明を解決しようとする課題】
しかしながら、換気風量の切換えタイミングは、温度、湿度、衣類重量、浴室の広さ等で異なるため、それらの要素にできるだけ対応させて換気風量を切換える必要があるが、従来はその点を考慮した制御方法は十分に開示されていなかった。
この発明は上記のような課題に対応してなされたもので、乾燥時間の短縮、乾燥効率の向上等をより適切に行える乾燥制御方法や装置を提供することを目的とする。
【０００５】
【課題を解決するための手段】
この発明の方法は、乾燥室内の換気風量を時間に基づき切換える換気乾燥機の制御方法であって、換気風量の切換え前後における乾燥室内の乾・湿球温度差を求めて比較し、その乾・湿球温度差がより大きい方に対応する換気風量を選択することを特徴とする。
また、乾燥室内の換気風量を乾燥室内の設定相対湿度又は設定絶対湿度に基づき切換える換気乾燥機の制御方法であって、換気風量の切換え前後における乾燥室内の乾・湿球温度差を求めて比較し、その乾・湿球温度差がより大きい方に対応する換気風量を選択することを特徴とする。
さらに、乾燥室内の換気風量を乾燥室内外の設定絶対湿度差に基づき切換える換気乾燥機の制御方法であって、換気風量の切換え前後における乾燥室内の乾・湿球温度差を求めて比較し、その乾・湿球温度差がより大きい方に対応する換気風量を選択することを特徴とする。
【０００６】
この発明の装置は、乾燥室内の空気を換気する換気用送風機と、乾燥室内の空気を循環させて加熱するヒータを有する循環用送風機と、乾燥室内の循環用空気の温度及び湿度を検知する温湿度検知装置とを備え、予め定めた設定に基づき乾燥室内の換気風量を切換える換気乾燥機において、前記温湿度検知装置の測定値を基に換気風量の切換え前後における乾燥室内の循環用空気の乾・湿球温度差をそれぞれ求めて比較し、その乾・湿球温度差がより大きい方に対応する換気風量を選択する制御手段を、備えたことを特徴とする。
また、乾燥室内の空気を換気する換気用送風機と、乾燥室内の空気を循環させて加熱するヒータを有する循環用送風機と、乾燥室内外の循環用空気の絶対湿度を検知する絶対湿度検知装置とを備え、予め定めた設定に基づき乾燥室内の換気風量を切換える換気乾燥機において、乾燥室内外の絶対湿度を基に乾燥室内外の絶対湿度差を求めてその絶対湿度差と予め設定した設定絶対湿度差との比較に応じて換気風量を切換える制御手段と、乾燥室内の循環用空気の温度と湿度を検知する温湿度検知装置と、前記温湿度検知装置の測定値を基に換気風量の切換え前後における乾燥室内の循環用空気の乾・湿球温度差をそれぞれ求めて比較し、その乾・湿球温度差がより大きい方に対応する換気風量を選択する制御手段とを、備えたことを特徴とする。
【０００７】
【発明の実施の形態】
以下、本発明の実施の形態を詳細に説明する。
実施の形態１．
図１は本発明の実施形態１による換気乾燥機の全体構成を示す概念図である。ここでの換気乾燥機５は、図１０で示した構成に加えて、乾燥室である浴室１内の温度及び湿度を同時に検知できる温湿度センサ１０を循環用送風機４の吸込口に設けたものである。
【０００８】
この換気乾燥機５を運転すると、換気用送風機２、ヒータ３、循環用送風機４が動作し、循環用送風機４から吹出される温風で浴室１内にある衣類６の水分が蒸発して乾燥される。一方、換気用送風機２により浴室ドア８の空気取入口９より吸引された空気は、衣類６から蒸発した水分を浴室１外に排気する。このとき、浴室１内の空気の温度・湿度の状態は時間の経過によって変化するが、この状態は温湿度センサ１０で検出され、そして制御器１２で演算されて、温度（乾球温度）、湿球温度、相対湿度、及び絶対湿度が算出される。
【０００９】
ここで、換気風量を大、中、小の３種類とした衣類の乾燥試験において、浴室内の衣類重量（図示しないが、浴室内の衣類を吊り棒につるし、その重量を重量計で計測する）と時間の関係の一例を図２に示す。これによれば、換気風量を時間にかかわらず一定とした場合、換気風量の大きいほうが衣類の重量減少が大きく、すなわち乾燥速度は大きく乾燥時間が短い事を示している。
【００１０】
図２の乾燥曲線から近似式を作り、微分してやることにより図３の乾燥速度曲線が得られる。図３を見ると、乾燥初期では換気風量大の方が乾燥速度は大きく、乾燥中期では換気風量中の方が乾燥速度が大きい。さらに乾燥終期では換気風量小の方が乾燥速度が大きい。従って、乾燥初期は換気風量を大にして時間を経るに従い換気風量を小さくしていけば、効果的な乾燥ができるということがおおよそ理解できる。この理由は、乾燥の始めは衣類からの水分蒸発量が大きいので、換気風量を大きくして浴室内湿度を低下させれば乾燥速度が大きく出来るが、乾燥終わりの頃は衣類からの水分蒸発量が少なくなるので、換気風量を小さくして浴室内温度を高め相対湿度を下げることにより乾燥速度を大きく出来る為である。
【００１１】
実際の使用では、換気風量の切換を衣類の重量検知では行えないため、浴室１内に設置した温湿度センサ１０及び制御器１２により、温度（乾球温度）、湿球温度、相対湿度及び絶対湿度等を測定算出し、これらを基に乾燥制御を行う。
例えば、衣類のような濡れたものを温風で乾燥する場合、乾燥速度は、
Ｗｖ＝ｈＡ（ｔｄ−ｔｗ）で表される。ここで、Ｗｖ：乾燥速度、ｈ：衣類表面の空気流の熱伝達率、Ａ：衣類表面積、ｔｄ：空気の乾球温度、ｔｗ：空気の湿球温度とする。従って、乾燥速度は乾・湿球温度差（ｔｄ−ｔｗ）に比例する。なお、ｔｄ及びｔｗは温湿度センサ１０から直接得ることもできる。
【００１２】
図２で示された乾燥特性を、浴室１内の温湿度センサ１０により求めた乾・湿球温度差と時間との関係に示したのが図４である。これによれば、乾燥初期は、換気風量大のほうが乾・湿球温度差（ｔｄ−ｔｗ）が大きい、すなわち乾燥速度が大きい。そして、乾燥中期では、換気風量中の方が乾・湿球温度差（ｔｄ−ｔｗ）が大きく、さらに乾燥終期では換気風量小の方が乾・湿球温度差（ｔｄ−ｔｗ）が大きいことを示している。これは、換気風量を乾燥初期では大に設定し、時間を経るに従いそれを減少させるようにすることで乾燥速度が速くなることを示しており、図３との相関が得られたことになる。
【００１３】
【実施例】
実施例１．
次に、浴室内の換気風量を時間に基づき切換える場合において、換気風量の切換え前後における浴室内の乾・湿球温度差を求めて比較し、その乾・湿球温度差がより大きい方に対応する換気風量を選択しながら、換気風量を決定して行く方法（実施例１）を、図５のフローチャートを基に説明する。
【００１４】
換気乾燥機５の運転をスタートさせ（ステップ２０）、まず換気風量を大にして所定時間τ1 運転する（ステップ２１）。また、所定時間τ1 後の乾・湿球温度差Δｔｌを温湿度センサ１０及び制御器１２で測定算出しメモリ装置等に記憶しておく（ステップ２２）。そして、所定時間τ1 経過後、換気風量を大から中に変更し（ステップ２３）、換気風量中の時の乾・湿球温度差Δｔｍを温湿度センサ１０及び制御器１２で測定算出する（ステップ２４）。続いて、制御器１２で、換気風量大の時の乾・湿球温度差Δｔｌと換気風量中の時の乾・湿球温度差Δｔｍの比較を行い（ステップ２５）、ΔｔｌがΔｔｍより大きければ、ステップ２１に戻り、換気風量を大に戻して運転を行う。そして、ΔｔｍがΔｔｌより大きくなるまで、これらステップ２１から２５までの動作を繰り返す。
【００１５】
ステップ２５でΔｔｍがΔｔｌより大きいと判断されると、換気風量を中として所定時間τ2 運転を行い（ステップ２６）、所定時間τ2 後の乾・湿球温度差Δｔｍ’を、温湿度センサ１０及び制御器１２で測定算出しメモリ装置等に記憶しておく（ステップ２７）。そして、所定時間τ2 経過後、換気風量を中から小に変更し（ステップ２８）、その換気風量小の時の乾・湿球温度差Δｔｓを温湿度センサ１０及び制御器１２で測定算出する（ステップ２９）。続いて、制御器１２で換気風量中の時の乾・湿球温度差Δｔｍ’と換気風量小の時の乾・湿球温度差Δｔｓとの比較を行う（ステップ３０）。ここで、Δｔｍ’がΔｔｓより大きければ、換気風量を中に戻して運転を行う。そして、これらのステップ２６から３０までの動作を、ΔｔｓがΔｔｍ’より大きくなるまで繰り返す。一方、ステップ３０でΔｔｓがΔｔｍ’より大きいと判断されると、例えば予め定めた全乾燥時間からの残り時間を換気風量を小として運転を行い（ステップ３１）、その時間経過後運転を終了する（ステップ３２）。
【００１６】
実施例１では、上記フローチャートに示したように、時間に基づいて換気風量を変更する際に、基本的に乾・湿球温度差が大きくなるように、すなわち乾燥速度が大きくなるように換気風量を選択して行くことで、乾燥時間の短縮が出来、効率良く乾燥出来る。
なお、図５では大、中、小３種類の換気風量を用いて制御したが、さらに多くの種類の換気風量を採用することで、より効果的で短時間の乾燥を実現させることもできる。
【００１７】
実施例２．
次に、浴室内の換気風量をある設定相対湿度を基準に切換え、その切換の際に、換気風量の切換え前後における乾燥室内の乾・湿球温度差を求めて比較し、その乾・湿球温度差がより大きい方に対応する換気風量を選択しながら、換気風量を決定して行く方法（実施例２）を、図６のフローチャートを基に説明する。
【００１８】
換気乾燥機５の運転をスタートさせ（ステップ３３）、換気風量を大にして運転する（ステップ３４）。これとともに、温湿度センサ１０及び制御器１２で、換気風量大の時の乾・湿球温度差Δｔｌを測定算出しメモリ装置等に記憶するとともに（ステップ３５）、浴室１内の相対湿度が所定の設定値Ａ（例えば５０％）になったかどうか判定する（ステップ３６）。浴室内の相対湿度が、所定の設定値Ａ以上であればステップ３４に戻り換気風量大の運転を続ける。一方、ステップ３６で浴室内の相対湿度が所定の設定値Ａ以下になったと判断すると、換気風量を大から中に変更する（ステップ３７）。次に、換気風量が中の時の乾・湿球温度差Δｔｍを温湿度センサ１０及び制御器１２で測定算出し、それを換気風量大の時の乾・湿球温度差Δｔｌと比較する（ステップ３９）。ΔｔｌがΔｔｍより大きい場合には、換気風量を大に戻して所定時間τ1 運転を行い（ステップ４０）、所定時間τ1 経過の乾・湿球温度差Δｔｌを再度測定算出しメモリ装置などに記憶させておく（ステップ４１）。そして、これらのステップ３７〜４１の動作を、ΔｔｍがΔｔｌより大きくなるまで繰り返す。
【００１９】
一方、ステップ３９でΔｔｍがΔｔｌより大きいと判断された場合には、換気風量を中のまま運転を継続する（ステップ４２）。これとともに、換気風量中の時の乾・湿球温度差Δｔｍ’を温湿度センサ１０及び制御器１２で測定算出しメモリ装置等に記憶し（ステップ４３）、さらに浴室１内の相対湿度が所定の設定値Ｂ（例えば３０％）になったかどうか判定する（ステップ４４）。浴室１内の相対湿度が、所定の設定値Ｂ以上であればステップ４２に戻り換気風量中の運転を続ける。一方、ステップ４４で浴室１内の相対湿度が所定の設定値Ｂ以下になったと判断されると、換気風量を中から小に変更する（ステップ４５）。続いて、換気風量が小の時の乾・湿球温度差Δｔｓを温湿度センサ１０及び制御器１２で測定算出し（ステップ４６）、それを換気風量中の時の乾・湿球温度差Δｔｍ’と比較する（ステップ４７）。ステップ４７で、Δｔｍ’がΔｔｓより大きければ換気風量を中に戻して所定時間τ2 運転を行い（ステップ４８）、所定時間τ1 経過後の乾・湿球温度差Δｔｍ’を再度測定算出しメモリ装置などに記憶させておく（ステップ４９）。そして、これらのステップ４５〜４９の動作を、ΔｔｓがΔｔｍ’より大きくなるまで繰り返す。一方、ステップ４７でΔｔｓがΔｔｍ’より大きいと判断されると、例えば室内の相対湿度が所定の設定値Ｃ（例えば１０％）になるまで、換気風量を小にしたまま運転を行って（ステップ５０）、運転を終了する（ステップ５１）。
【００２０】
実施例２では、上記フローチャートに示したように、設定相対湿度に基づいて換気風量を変更する際に、基本的に乾・湿球温度差が大きくなるように、すなわち乾燥速度が大きくなるように換気風量を選択して行くことで、乾燥時間の短縮が出来、効率良く乾燥出来る。
なお、図６では大、中、小３種類の換気風量を用いて制御したが、さらに多くの種類の換気風量を採用することで、より効果的で短時間の乾燥を実現させることもできる。
また、図６では換気風量の切換を設定相対湿度で行っているが、それは設定絶対湿度で行ってもよい。
【００２１】
実施例３．
実施例１，２では、温湿度センサ１０を浴室１用にのみ設けたが、ここでは図７に示すように、同様の温湿度センサ１４を浴室１外の脱衣室７にも設けたものである。これによれば、浴室１内の温度・湿度と脱衣室７の温度・湿度とを同時に検出できるので、それぞれ絶対湿度に換算して、脱衣室７と浴室１内の絶対湿度差を得ることができる。いま、浴室１内の絶対湿度をＸｉとし、脱衣室７の絶対湿度をＸｏとすれば、その絶対湿度差ΔＸ＝Ｘｉ−Ｘｏとなり、衣類からの水分蒸発量は  Ｗ＝γＱｅΔＸ（Ｗ;水分蒸発量、γ；空気の密度、Ｑｅ；換気風量）と表されるので、衣類の水分蒸発量が正確に分かり、衣類の水分蒸発量、絶対湿度差、換気風量等の相関をとっておけば、換気風量の制御がより正確に行えることになる。そして、これらの相関から、浴室内の換気風量を最適に変更できる絶対湿度差を予め設定することができる。
【００２２】
次に、浴室内の換気風量を上記設定絶対湿度差に基づいて切換え、換気風量を決定して行く方法（実施例３）を、図８のフローチャートを基に説明する。
【００２３】
換気乾燥機５の運転をスタートさせ（ステップ５２）、まず換気風量を大にして運転を行う（ステップ５３）。続いて、温湿度センサ１０，１４及び制御器１２を利用して、浴室１内と脱衣室７の温度及び湿度を測定してそれぞれの絶対湿度を求め、さらにこれらの絶対湿度から浴室１内と脱衣室７との絶対湿度差ΔＸ1 を求める（ステップ５４）。続いて、その絶対湿度差ΔＸ1 を予め定めた設定絶対湿度差Ｄと比較し（ステップ５５）、絶対湿度差ΔＸ1 が設定絶対湿度差Ｄより大きい場合は、換気風量を大としたままで運転を継続する（ステップ５３〜５５）。一方、設定絶対湿度差Ｄが絶対湿度差ΔＸ1 より大きい場合には、換気風量を中に変更して運転し（ステップ５６）、温湿度センサ１０，１４及び制御器１２を利用して、浴室１内と脱衣室７の温度及び湿度を測定してそれぞれの絶対湿度を求め、さらにこれらの絶対湿度からを浴室１内と脱衣室７との絶対湿度差ΔＸ2 を求める（ステップ５７）。続いて、その絶対湿度差ΔＸ2 を予め定めた設定絶対湿度差Ｅと比較し（ステップ５８）、絶対湿度差ΔＸ2 が設定絶対湿度差Ｅより大きい場合は、換気風量を中としたままで運転を継続する（ステップ５６〜５８）。一方、設定絶対湿度差Ｅが絶対湿度差ΔＸ2 より大きい場合には、換気風量を小に変更して、例えば浴室１内の絶対湿度差が予め定めた設定絶対設定値になるまで運転を行った後、運転を終了する（ステップ６０）。
【００２４】
実施例３では、上記フローチャートに示したように、浴室内と浴室外脱衣室の二つの温湿度センサを利用してそれぞれの絶対湿度を求め、それからさらに絶対湿度差を求めて、浴室内の水分蒸発量を正確に把握して換気風量を切換えていくので、乾燥時間の短縮が出来、効率の良い乾燥ができる。
なお、図８では大、中、小３種類の換気風量を用いて制御したが、さらに多くの種類の換気風量を採用することで、より効果的で短時間の乾燥を実現させることもできる。
【００２５】
実施例４．
次に、浴室内の換気風量を設定絶対湿度差に基づいて切換え、その切換の際に、換気風量の切換え前後における乾燥室内の乾・湿球温度差を求めて比較し、その乾・湿球温度差がより大きい方に対応する換気風量を選択しながら、換気風量を決定して行く方法（実施例４）を、図９のフローチャートを基に説明する。
【００２６】
換気送風機５の運転をスタートさせ（ステップ６１）、まず換気風量を大にして運転する（ステップ６２）。続いて、温湿度センサ１０，１４及び制御器１２により、浴室１内と脱衣室７の温度及び湿度を測定してそれぞれの絶対湿度を求め、さらにこれらの絶対湿度から浴室１内と脱衣室７との絶対湿度差ΔＸ1 を求めるとともに、換気風量大の時の乾・湿球温度差Δｔｌを測定算出して、メモリ装置等に記憶しておく（ステップ６３）。続いて、絶対湿度差ΔＸ1 と設定絶対湿度差Ｇとを比較し（ステップ６４）、絶対湿度差ΔＸ1 が設定絶対湿度差Ｇより大きい場合にはステップ６２に戻り、換気風量大の運転を続ける。一方、設定絶対湿度差Ｇが絶対湿度差ΔＸ1 より大きくなった場合は、換気風量を大から中に変更する（ステップ６５）。続いて、換気風量中の時の乾・湿球温度差Δｔｍを測定し（ステップ６６）、それを換気風量大の時の乾・湿球温度差Δｔｌと比較する（ステップ６７）。換気風量大の時の乾・湿球温度差Δｔｌが換気風量中の時の乾・湿球温度差Δｔｍより大きい場合には、換気風量を大に戻して所定時間τ1 運転し（ステップ６８）、所定時間τ1 後の乾・湿球温度差Δｔｌを測定算出しメモリ装置などに記憶しておく。そして、ΔｔｍがΔｔｌより大きくなるまで、ステップ６５〜６７〜６９を繰り返す。
【００２７】
一方、ステップ６７でΔｔｍがΔｔｌより大きいと判断された場合には、換気風量を中に維持したまま運転を継続する（ステップ７０）。そして、温湿度センサ１０，１４及び制御器１２を利用して、換気風量中の時の浴室１内の乾・湿球温度差Δｔｍ’を測定してメモリ装置等に記憶するとともに、浴室１内と脱衣室７の絶対湿度差ΔＸ2 を求める（ステップ７１）。続いて、その絶対湿度差ΔＸ2 が予め設定した設定絶対湿度差Ｈかどうか判定し（ステップ７２）、絶対湿度差ΔＸ2 が設定絶対湿度差Ｈ以上であれば換気風量中の運転を続ける。そして、設定絶対湿度差Ｈが絶対湿度差ΔＸ2 より大きくなるまで、ステップ７０〜７２の動作を繰り返す。
【００２８】
一方、ステップ７２で設定絶対湿度差Ｈが絶対湿度差ΔＸ2 より大きいと判断されると、換気風量を中から小に変更する（ステップ７３）。続いて、温湿度センサ１０，１４及び制御器１２を利用して、換気風量小の時の浴室１内の乾・湿球温度差Δｔｓを測定する。次に、換気風量中の時の浴室１内の乾・湿球温度差Δｔｍ’と換気風量小の時の浴室１内の乾・湿球温度差Δｔｓの比較を行い（ステップ７３）、Δｔｍ’がΔｔｓより大きいときには、換気風量を中に戻して所定時間τ2 運転し、所定時間τ2時間後の乾・湿球温度差Δｔｍ’を測定算出しメモリ装置等に記憶しておく。そして、ΔｔｓがΔｔｍ’より大きくなるまで、ステップ７３〜７５〜７７の動作を繰り返す。一方、ステップ７５で、ΔｔｓがΔｔｍ’より大きいと判断された場合には、換気風量を小にしたまま、例えば予め定めた設定絶対湿度差となるまで運転を継続した後（ステップ７８）、運転を終了する（ステップ７９）。
【００２９】
実施例４では、上記フローチャートに示したように、浴室内外の絶対湿度差に基づいて換気風量を変更するとともに、その変更の際に、基本的に乾・湿球温度差が大きくなるように、すなわち乾燥速度が大きくなるように換気風量を選択して行くことで、実施例３の場合より一層乾燥時間の短縮が出来、効率の良い乾燥が可能となる。
なお、図９では大、中、小３種類の換気風量を用いて制御したが、さらに多くの種類の換気風量を採用することで、より効果的で短時間の乾燥を実現させることもできる。
【００３０】
以上、各実施例においては、温湿度センサ１０，１４及び制御器１２により、温度（乾球温度）、湿球温度、相対湿度、絶対温度、及び絶対温度差を測定算出するようにしたが、これらの値を専ら温湿度センサ１０，１４から得られるようにしてもよい。その場合、制御器１２は得られた温度（乾球温度）、湿球温度、相対湿度、絶対温度、及び絶対温度差を基に動作制御のみを行う事になる。
なお、温湿度センサ１０，１４は目的の値が得られるものであればどのようなものであってもよいが、例えば乾湿球湿度計が利用できる。
【００３１】
【発明の効果】
この発明によれば、所定の設定に応じて換気風量を切換えて行く際に、乾燥室内の乾・湿球温度差を測定（又は測定及び算出し）、それがより大きくなるように選択されていくようにしたことで、被乾燥物の量、温度、湿度、室内の広さ等にかかわらず、最適な乾燥制御が出来、乾燥時間を短縮及び効率のよい衣類乾燥運転が可能となる。
また、乾燥室内外の絶対湿度差を求め、浴室内の水分蒸発量を正確に把握して換気風量を切換えていくようにしたことで、乾燥時間の短縮が出来、効率の良い乾燥ができる。
【図面の簡単な説明】
【図１】  本発明の実施例による換気乾燥機の全体構成を示す説明図。
【図２】  換気風量の変化による衣類乾燥時の衣類重量と時間との関係を示す図。
【図３】  換気風量の変化による衣類乾燥時の衣類乾燥速度と時間との関係を示す図。
【図４】  換気風量の変化による衣類乾燥時の乾燥室内の乾・湿球温度差と時間との関係を示す図。
【図５】  本発明の実施例１による衣類乾燥制御のフローチャート図。
【図６】  本発明の実施例２による衣類乾燥制御のフローチャート図。
【図７】  本発明の別の実施例による換気乾燥機の全体構成を示す説明図。
【図８】  本発明の実施例３による衣類乾燥制御のフローチャート図。
【図９】  本発明の実施例４による衣類乾燥制御のフローチャート図。
【図１０】  従来の換気乾燥機の全体構成を示す説明図。
【符号の説明】
１  浴室、２  換気用送風機、３  ヒータ、４  循環用送風機、５  換気乾燥機、６  衣類、７  脱衣室、８  浴室ドア、９  空気取入口、１０  温湿度センサ（浴室用）、１４  温湿度センサ（脱衣室用）。
【図１】
0004264794.tif 000002
【図２】
0004264794.tif 000003
【図３】
0004264794.tif 000004
【図４】
0004264794.tif 000005
【図５】
0004264794.tif 000006
【図６】
0004264794.tif 000007
【図７】
0004264794.tif 000008
【図８】
0004264794.tif 000009
【図９】
0004264794.tif 000010
【図１０】
0004264794.tif 000011